(57)【要約】【課題】浴槽監視システム、及び浴槽監視装置において、浴槽監視専用の機器やソフトウェアを用いることなく、浴槽の水温や水深等の状態や状態の変化をユーザに知らせる。【解決手段】浴槽監視装置はＵＰｎＰＡＶ仕様に基づくデバイス、及びコンテンツディレクトリとして、テレビはコントロールポイントとして機能する。テレビ５は浴槽監視装置３に対して、センサ部により検出している浴槽の状態の一覧の要求を送信する（Ｓ３）。ユーザがテレビ５の操作部を操作することにより、上記Ｓ４で取得したリストの中から水温の状態の取得を選択すると、テレビ５は、浴槽監視装置３に対して、浴槽の水温の状態に基づいた画像コンテンツを要求するためのＨＴＴＰ−ＧＥＴリクエストを送信する（Ｓ５）。このリクエストを受信したセンサ制御部は、テレビ５から要求があった画像コンテンツをＨＤＤから取得した後、取得した画像コンテンツをテレビ５に送信する（Ｓ６）。【選択図】図６
2007309576.tif 000002
【特許請求の範囲】
【請求項１】
浴槽の水温や水深等の状態を検出する浴槽監視装置と、この浴槽監視装置とネットワークを介して接続されたテレビジョン受像機とを含み、
前記浴槽監視装置は、
浴槽の水温や水深等の状態を検出するセンサ手段と、
装置各部を制御する監視制御手段とを備え、
前記テレビジョン受像機は、
前記浴槽監視装置から送信された画像コンテンツを受信するための画像コンテンツ受信手段と、
前記画像コンテンツ受信手段により受信された画像コンテンツ等を出力する映像表示手段とを備えた浴槽監視システムにおいて、
前記浴槽監視装置と前記テレビジョン受像機とは、ＵＰｎＰ（Ｕｎｉｖｅｒｓａｌ  Ｐｌｕｇ  ａｎｄ  Ｐｌａｙ）の規格に従って通信を行い、
前記浴槽監視装置は、
前記センサ手段により検出された浴槽の水温や水深等の状態に基づいた画像コンテンツを生成する画像コンテンツ生成手段と、
前記画像コンテンツ生成手段により生成された画像コンテンツを記録する記録部と、
前記記録部に記録された画像コンテンツに変化があったとき、前記テレビジョン受像機に画像コンテンツの変化があったことを通知する画像コンテンツ通知手段と、
前記テレビジョン受像機から送信されたリクエストメッセージを受信するリクエスト受信手段と、
前記リクエスト受信手段により受信したリクエストメッセージに応じて、前記記録部から画像コンテンツを取得する画像コンテンツ取得手段と、
前記リクエストメッセージに応答するレスポンスメッセージとして、前記画像コンテンツ取得手段により取得した画像コンテンツを前記テレビジョン受像機に送信するレスポンス送信手段とをさらに備え、
前記テレビジョン受像機は、
前記浴槽監視装置に画像コンテンツを要求するリクエストメッセージの送信を行うためのリクエスト送信手段をさらに備え、
前記リクエスト送信手段が送信する前記リクエストメッセージは、ＨＴＴＰ（ＨｙｐｅｒＴｅｘｔ  Ｔｒａｎｓｆｅｒ  Ｐｒｏｔｏｃｏｌ）−ＧＥＴメソッドに基づくＨＴＴＰリクエストメッセージであり、
前記監視制御手段は、
前記センサ手段により浴槽の水温や水深等の状態の変化が検出されると、前記画像コンテンツ生成手段を用いて前記浴槽の状態に基づいた画像コンテンツを生成し、生成した画像コンテンツを前記記録部に記録した後、前記画像コンテンツ通知手段を用いて前記テレビジョン受像機に該記録部に記録された画像コンテンツに変化があったことを通知し、
前記テレビジョン受像機から送信された画像コンテンツのリクエストメッセージを前記リクエスト受信手段を用いて受信すると、前記画像コンテンツ取得手段を用いて、前記テレビジョン受像機から要求があった画像コンテンツを前記記録部から取得した後、前記レスポンス送信手段により、前記取得した画像コンテンツを該テレビジョン受像機に送信し、前記レスポンス送信手段により送信された画像コンテンツを該テレビジョン受像機が前記映像表示手段に表示することを特徴とする浴槽監視システム。
【請求項２】
画像コンテンツを要求するリクエストメッセージを送信するテレビジョン受像機にネットワークを介して接続され、
浴槽の水温や水深等の状態を検出するセンサ手段と、
装置各部を制御する監視制御手段とを備えた浴槽監視装置において、
前記センサ手段により検出された浴槽の水温や水深等の状態に基づいた画像コンテンツを生成する画像コンテンツ生成手段と、
前記画像コンテンツ生成手段により生成された画像コンテンツを記録する記録部と、
前記テレビジョン受像機から送信されたリクエストメッセージを受信するリクエスト受信手段と、
前記リクエスト受信手段により受信したリクエストメッセージに応じて、前記記録部から画像コンテンツを取得する画像コンテンツ取得手段と、
前記リクエストメッセージに応答するレスポンスメッセージとして、前記画像コンテンツ取得手段により取得した画像コンテンツを前記テレビジョン受像機に送信するレスポンス送信手段とをさらに備え、
ＵＰｎＰ（Ｕｎｉｖｅｒｓａｌ  Ｐｌｕｇ  ａｎｄ  Ｐｌａｙ）の規格に従って前記テレビジョン受像機と通信を行い、
前記監視制御手段は、
前記テレビジョン受像機から送信された画像コンテンツのリクエストメッセージを前記リクエスト受信手段を用いて受信すると、前記画像コンテンツ取得手段を用いて、前記テレビジョン受像機から要求があった画像コンテンツを前記記録部から取得した後、前記レスポンス送信手段により、前記取得した画像コンテンツを該テレビジョン受像機に送信することを特徴とする浴槽監視装置。
【請求項３】
前記記録部に記録された画像コンテンツに変化があったとき、前記テレビジョン受像機に画像コンテンツの変化があったことを通知する画像コンテンツ通知手段をさらに備え、
前記センサ手段により浴槽の水温や水深等の状態の変化が検出されると、前記画像コンテンツ生成手段を用いて前記浴槽の状態に基いた画像コンテンツを生成し、生成した画像コンテンツを前記記録部に記録した後、前記画像コンテンツ通知手段を用いて前記テレビジョン受像機に該記録部に記録された画像コンテンツに変化があったことを通知することを特徴とする請求項２に記載の浴槽監視装置。
【発明の詳細な説明】
【技術分野】
【０００１】
本発明は、浴槽監視システム、及び浴槽監視装置に関する。
【背景技術】
【０００２】
近年、ＤＬＮＡ（Ｄｉｇｉｔａｌ  Ｌｉｖｉｎｇ  Ｎｅｔｗｏｒｋ  Ａｌｌｉａｎｃｅ）に対応したテレビジョン受像機、パソコン、ハードディスクレコーダなどの電子機器や情報機器をネットワークで接続し、これらの機器同士がＵＰｎＰ（Ｕｎｉｖｅｒｓａｌ  Ｐｌｕｇ  ａｎｄ  Ｐｌａｙ）規格に従って通信を行うものが普及している。
【０００３】
また、従来、浴槽の水温や水深等の状態を監視する浴槽監視装置とテレビジョン受像機等の機器とをネットワークを介して接続し、ＴＣＰ／ＩＰなどを基本とした独自のプロトコルを使用して浴槽の状態や浴槽の状態の変化をテレビジョン受像機等の機器に通知するものが知られている。しかし、従来の浴槽監視装置では、ネットワークを介して浴槽の状態や浴槽の状態の変化を通知するために、独自プロトコルに対応した専用機器や専用ソフトウェアを導入する必要があるためコストがかかるという問題がある。
【０００４】
ところで、この種の浴槽監視システムにおいて、簡単な操作によって湯や湯に混入する薬剤の量を調節でき、ユーザの嗜好に応じた浴槽の状態を提供する浴槽監視システムが知られている（例えば、特許文献１参照）。また、複数の家電機器と、これらの家電機器を制御する集中管理装置とがネットワークに接続され、ユーザが集中管理装置を操作することにより、家庭内の複数の家電機器をユーザに合わせた設定にすることができる家庭内機器制御システムが知られている（例えば、特許文献２参照）。
【０００５】
また、所定の水深まで浴槽に湯を貯める貯湯処理と、浴槽に貯められた湯の温度を管理する浴槽水温管理処理とを行い、浴槽に適温水を適宜供給して水温を所定の温度に保つと共に、水深を所定の値に保つ浴槽監視システムが知られている（例えば、特許文献３参照）。また、ユーザの情報端末にネットワークを介して接続され、ユーザが情報端末を操作することにより送信された制御信号に基づいて、浴槽の温度調整や水深調整をコントロールすることができる浴槽監視システムが知られている（例えば、特許文献４の発明参照）。
【０００６】
しかし、上記特許文献１乃至特許文献４に記載された発明では、上記問題を解決することができない。
【特許文献１】特開２００４−３０１３７８号公報
【特許文献２】特開２００２−０４４７４３号公報
【特許文献３】特開２００１−３５５９１２号公報
【特許文献４】特開２００２−２７７０５８号公報
【発明の開示】
【発明が解決しようとする課題】
【０００７】
本発明は、浴槽監視専用の機器やソフトウェアを用いることなく、浴槽の水温や水深等の状態や状態の変化を、ユーザに知らせることができるようにして、安価な浴槽監視システム、及び浴槽監視装置を提供することを目的とする。
【課題を解決するための手段】
【０００８】
上記目的を達成するために請求項１の発明は、浴槽の水温や水深等の状態を検出する浴槽監視装置と、この浴槽監視装置とネットワークを介して接続されたテレビジョン受像機とを含み、前記浴槽監視装置は、浴槽の水温や水深等の状態を検出するセンサ手段と、装置各部を制御する監視制御手段とを備え、前記テレビジョン受像機は、前記浴槽監視装置から送信された画像コンテンツを受信するための画像コンテンツ受信手段と、前記画像コンテンツ受信手段により受信された画像コンテンツ等を出力する映像表示手段とを備えた浴槽監視システムにおいて、前記浴槽監視装置と前記テレビジョン受像機とは、ＵＰｎＰ（Ｕｎｉｖｅｒｓａｌ  Ｐｌｕｇ  ａｎｄ  Ｐｌａｙ）の規格に従って通信を行い、前記浴槽監視装置は、前記センサ手段により検出された浴槽の水温や水深等の状態に基づいた画像コンテンツを生成する画像コンテンツ生成手段と、前記画像コンテンツ生成手段により生成された画像コンテンツを記録する記録部と、前記記録部に記録された画像コンテンツに変化があったとき、前記テレビジョン受像機に画像コンテンツの変化があったことを通知する画像コンテンツ通知手段と、前記テレビジョン受像機から送信されたリクエストメッセージを受信するリクエスト受信手段と、前記リクエスト受信手段により受信したリクエストメッセージに応じて、前記記録部から画像コンテンツを取得する画像コンテンツ取得手段と、前記リクエストメッセージに応答するレスポンスメッセージとして、前記画像コンテンツ取得手段により取得した画像コンテンツを前記テレビジョン受像機に送信するレスポンス送信手段とをさらに備え、前記テレビジョン受像機は、前記浴槽監視装置に画像コンテンツを要求するリクエストメッセージの送信を行うためのリクエスト送信手段をさらに備え、前記リクエスト送信手段が送信する前記リクエストメッセージは、ＨＴＴＰ（ＨｙｐｅｒＴｅｘｔ  Ｔｒａｎｓｆｅｒ  Ｐｒｏｔｏｃｏｌ）−ＧＥＴメソッドに基づくＨＴＴＰリクエストメッセージであり、前記監視制御手段は、前記センサ手段により浴槽の水温や水深等の状態の変化が検出されると、前記画像コンテンツ生成手段を用いて前記浴槽の状態に基づいた画像コンテンツを生成し、生成した画像コンテンツを前記記録部に記録した後、前記画像コンテンツ通知手段を用いて前記テレビジョン受像機に該記録部に記録された画像コンテンツに変化があったことを通知し、前記テレビジョン受像機から送信された画像コンテンツのリクエストメッセージを前記リクエスト受信手段を用いて受信すると、前記画像コンテンツ取得手段を用いて、前記テレビジョン受像機から要求があった画像コンテンツを前記記録部から取得した後、前記レスポンス送信手段により、前記取得した画像コンテンツを該テレビジョン受像機に送信し、前記レスポンス送信手段により送信された画像コンテンツを該テレビジョン受像機が前記映像表示手段に表示するものである。
【０００９】
請求項２の発明は、画像コンテンツを要求するリクエストメッセージを送信するテレビジョン受像機にネットワークを介して接続され、浴槽の水温や水深等の状態を検出するセンサ手段と、装置各部を制御する監視制御手段とを備えた浴槽監視装置において、前記センサ手段により検出された浴槽の水温や水深等の状態に基づいた画像コンテンツを生成する画像コンテンツ生成手段と、前記画像コンテンツ生成手段により生成された画像コンテンツを記録する記録部と、前記テレビジョン受像機から送信されたリクエストメッセージを受信するリクエスト受信手段と、前記リクエスト受信手段により受信したリクエストメッセージに応じて、前記記録部から画像コンテンツを取得する画像コンテンツ取得手段と、前記リクエストメッセージに応答するレスポンスメッセージとして、前記画像コンテンツ取得手段により取得した画像コンテンツを前記テレビジョン受像機に送信するレスポンス送信手段とをさらに備え、ＵＰｎＰ（Ｕｎｉｖｅｒｓａｌ  Ｐｌｕｇ  ａｎｄ  Ｐｌａｙ）の規格に従って前記テレビジョン受像機と通信を行い、前記監視制御手段は、前記テレビジョン受像機から送信された画像コンテンツのリクエストメッセージを前記リクエスト受信手段を用いて受信すると、前記画像コンテンツ取得手段を用いて、前記テレビジョン受像機から要求があった画像コンテンツを前記記録部から取得した後、前記レスポンス送信手段により、前記取得した画像コンテンツを該テレビジョン受像機に送信するものである。
【００１０】
請求項３の発明は、請求項２に記載の浴槽監視装置において、前記記録部に記録された画像コンテンツに変化があったとき、前記テレビジョン受像機に画像コンテンツの変化があったことを通知する画像コンテンツ通知手段をさらに備え、前記センサ手段により浴槽の水温や水深等の状態の変化が検出されると、前記画像コンテンツ生成手段を用いて前記浴槽の状態に基いた画像コンテンツを生成し、生成した画像コンテンツを前記記録部に記録した後、前記画像コンテンツ通知手段を用いて前記テレビジョン受像機に該記録部に記録された画像コンテンツに変化があったことを通知するものである。
【発明の効果】
【００１１】
請求項１の発明によれば、浴槽監視装置が、浴槽の状態に変化があったことを、汎用のＵＰｎＰ規格に対応したテレビジョン受像機に通知することができる。そのため、ユーザは、独自プロトコルに対応した専用機器や専用ソフトウェア等の導入コストをかけることなしに、汎用のＵＰｎＰ規格に対応したテレビジョン受像機を用いて浴槽の状態の変化を知ることができる。これにより、浴槽監視装置を含む浴槽監視システム全体の生産コストを低減させることができる。
【００１２】
また、浴槽監視装置が、浴槽の状態に基づく画像コンテンツを、汎用のＵＰｎＰ規格に対応したテレビジョン受像機に送信し、テレビジョン受像機は受信した画像コンテンツを映像表示手段に表示することができる。そのため、ユーザは、独自プロトコルに対応した専用機器や専用ソフトウェア等の導入コストをかけることなしに、汎用のＵＰｎＰ規格に対応したテレビジョン受像機を用いて浴槽の状態を知ることができる。これにより、浴槽監視装置を含む浴槽監視システム全体の生産コストを低減させることができる。
【００１３】
請求項２の発明によれば、浴槽監視装置が、浴槽の状態に基づく画像コンテンツを、汎用のＵＰｎＰ規格に対応したテレビジョン受像機に送信する。そのため、ユーザは、独自プロトコルに対応した専用機器や専用ソフトウェア等の導入コストをかけることなしに、汎用のＵＰｎＰ規格に対応したテレビジョン受像機を用いて浴槽の状態を知ることができる。これにより、浴槽監視装置の生産コストを低減させることができる。
【００１４】
請求項３の発明によれば、浴槽監視装置が、浴槽の状態に変化があったことを、汎用のＵＰｎＰ規格に対応したテレビジョン受像機に通知することができる。そのため、ユーザは、独自プロトコルに対応した専用機器や専用ソフトウェア等の導入コストをかけることなしに、汎用のＵＰｎＰ規格に対応したテレビジョン受像機を用いて浴槽の状態に変化を知ることができる。これにより、浴槽監視装置の生産コストを低減させることができる。
【発明を実施するための最良の形態】
【００１５】
以下、本発明の一実施形態について、図１乃至図５を参照して説明する。図１は浴槽２の水温や水深等を検出する浴槽監視装置３と、この浴槽監視装置３にネットワーク４を介して接続されたテレビ５（テレビジョン受像機）とを含む浴槽監視システム１の構成を示し、図２は浴槽２と浴槽監視装置３との外観を示し、図３はテレビ５の外観を示す。図４は浴槽監視装置３の内部構成を示し、図５はテレビ５の内部構成を示す。
【００１６】
浴槽監視装置３、及びテレビ５は、ＵＰｎＰ（Ｕｎｉｖｅｒｓａｌ  Ｐｌｕｇ  ａｎｄ  Ｐｌａｙ）ＡＶ（Ａｕｄｉｏ  Ｖｉｓｕａｌ）規格に従ってネットワーク通信を行う機器とする。ＵＰｎＰ対応機器は、互いの機器間で、ＸＭＬ（ｅＸｔｅｎｓｉｂｌｅ  Ｍａｒｋｕｐ  Ｌａｎｇｕａｇｅ）に準拠したメタデータを交換し、各機器の操作方法や、お互いに連携する際の手順を規格として定め、その規格に従って動作する。そのため、ネットワーク上のＵＰｎＰ対応機器の追加、又は削除を容易に行うことができるという利点がある。
【００１７】
浴槽監視装置３は、ＵＰｎＰ  ＡＶ仕様に基づくメディアサーバに相当するデバイスであり、コンテンツ一覧の取得等の制御を行うコンテンツディレクトリとして機能するものとし、テレビ５に対して、Ｎｏｔｉｆｙ等のコマンドを送信するものとする。テレビ５は、ＵＰｎＰ  ＡＶ仕様に基づくコンテンツの要求等を行うコントロールポイントとして機能するものとし、浴槽監視装置３に対して、ＢｒｏｗｓｅやＳｅａｒｃｈ等のコマンドを送信するものとする。
【００１８】
図４に示すように、浴槽監視装置３は、浴槽の水温や水深等の状態を検出するセンサ部３１と、センサ部３１により検出された浴槽の状態に基づいた画像コンテンツを生成する画像コンテンツ生成部３３（画像コンテンツ生成手段）と、画像コンテンツ生成部３３により生成された画像コンテンツを記録するハードディスク３２（以下、ＨＤＤという；請求項における記録部）とを備える。また、浴槽監視装置３は、ＵＰｎＰ  ＡＶの規格に従って通信を行い、テレビ５に対して画像コンテンツ等のデータの送受信を行うためのネットワークインタフェース３４と、装置各部を制御するセンサ制御部３６（監視制御手段）と、センサ制御部３６の動作プログラムを格納するＲＯＭ３５とをさらに備える。
【００１９】
センサ制御部３６は、請求項における画像コンテンツ通知手段、リクエスト受信手段、画像コンテンツ取得手段、レスポンス送信手段として機能する。また、センサ制御部３６は、ＵＰｎＰ  ＡＶ仕様に基づくコンテンツディレクトリサービス（以下、ＣＤＳという）、及び各種ＨＴＴＰメッセージの送受信を行うＨＴＴＰサーバとして動作し、ＨＤＤ３２に記録されている画像コンテンツの取得、検索等を行う。
【００２０】
図５に示すように、テレビ５は、ＵＰｎＰ  ＡＶの規格に従って浴槽監視装置３と通信を行い、浴槽監視装置３から送信された画像コンテンツの受信、及び浴槽監視装置３に画像コンテンツを要求するリクエストメッセージの送信を行うためのネットワークインタフェース５４（画像コンテンツ受信手段、リクエスト送信手段）と、ユーザが操作するためのボタン等を有する操作部５３と、装置各部を制御する制御用マイコン５５と、制御用マイコン５５の動作プログラムを格納するＲＯＭ５６とを備える。また、テレビ５は、ネットワークインタフェース５４により受信した画像コンテンツ等を出力するディスプレイ５１（映像表示手段）と、制御用マイコン５５から出力された音声信号に基づく音声を出力するスピーカ５２とを備える。なお、テレビ５が浴槽監視装置３に対して送信するリクエストメッセージは、ＨＴＴＰ（ＨｙｐｅｒＴｅｘｔ  Ｔｒａｎｓｆｅｒ  Ｐｒｏｔｏｃｏｌ）−ＧＥＴメソッドに基づくＨＴＴＰリクエストメッセージである。
【００２１】
次に、テレビ５から浴槽監視装置３に対して浴槽２の状態に基づく画像コンテンツの要求を行うときの浴槽監視装置３とテレビ５の処理について、図６を参照して説明する。まず、テレビ５は、浴槽監視装置３に対して、ＨＤＤ３２に記録された画像コンテンツに変化があったときにテレビ５に通知する旨のイベント通知要求（Ｓｕｂｓｃｒｉｂｅ）コマンドを送信する（Ｓ１）。浴槽監視装置３のセンサ制御部３６は、これに対して「２００  ＯＫ」等のコマンドの登録に成功した旨のメッセージをテレビ５に返送する。次に、テレビ５は、浴槽監視装置３に対して、センサ部３１により検出している浴槽２の状態の一覧の要求（Ｂｒｏｗｓｅ、Ｓｅａｒｃｈ）コマンドを送信する（Ｓ３）。センサ制御部３６は、これに対してセンサ部３１により検出される浴槽２の水温や水深等の状態を示すリストをテレビ５に返送する（Ｓ４）。リストにはセンサ部３１が浴槽２に対して検出することができる水温、水深等の項目が記載されている。
【００２２】
ユーザがテレビ５の操作部５３を操作することにより、上記Ｓ４で取得したリストの中から水温の状態の取得を選択すると、テレビ５は、浴槽監視装置３に対して、浴槽２の水温の状態に基づいた画像コンテンツを要求するためのＨＴＴＰ−ＧＥＴリクエストを送信する（Ｓ５）。このＨＴＴＰ−ＧＥＴリクエストを受信したセンサ制御部３６は、テレビ５から要求があった画像コンテンツをＨＤＤ３２から取得した後、取得した画像コンテンツをテレビ５に送信する（Ｓ６）。
【００２３】
ユーザがテレビ５の操作部５３を操作することにより、上記Ｓ４で取得したリストの中から水深の状態の取得を選択すると、テレビ５は、浴槽監視装置３に対して、浴槽２の水深の状態に基づいた画像コンテンツを要求するためのＨＴＴＰ−ＧＥＴリクエストを送信する（Ｓ７）。このＨＴＴＰ−ＧＥＴリクエストを受信したセンサ制御部３６は、テレビ５から要求があった画像コンテンツをＨＤＤ３２から取得した後、取得した画像コンテンツをテレビ５に送信する（Ｓ８）。
【００２４】
浴槽監視装置３がテレビ５に送信する画像コンテンツの例について、図７及び図８を参照して説明する。図７は浴槽２の水温の状態に基づく画像コンテンツ６の例を示し、図８は浴槽２の水深の状態に基づく画像コンテンツ７の例を示す。図７は、例えば、ファイル名がｂａｔｈ＿ｔｅｍｐｅｒａｔｕｒｅ．ｊｐｇ等であるＪＰＥＧ形式の画像コンテンツ６のファイルであり、水温が２２度であることを示す。テレビ５は、図７に示した画像コンテンツ６をディスプレイ５１に表示することにより、ユーザに浴槽２の水温の状態を通知することができる。また、図８は、例えば、ファイル名がｂａｔｈ＿ｄｅｐｔｈ．ｊｐｇ等であるＪＰＥＧ形式の画像コンテンツ７のファイルであり、浴槽２の水深が浴槽２の深さに対して８０％であることを示す。テレビ５は、図８に示した画像コンテンツ７をディスプレイ５１に表示することにより、ユーザに浴槽２の水深の状態を通知することができる。なお、ここでは画像コンテンツのファイル形式がＪＰＥＧ形式である場合の例について示したが、これに限られず、テレビ５が表示可能な形式であればよい。
【００２５】
次に、浴槽監視装置３が浴槽２の状態の変化を検出したときの浴槽監視装置３とテレビ５との処理について、図９乃至図１１を参照して説明する。図９及び図１０は、浴槽監視装置３とテレビ５との処理を示し、図１１はテレビ５が取得する画像コンテンツを示す。センサ部３１は随時、浴槽２の状態が変化したか否かの検出を行い（Ｓ１１）、浴槽２の状態が変化したことを検出すると、画像コンテンツ生成部３３に対して、浴槽２の状態が変化した旨の通知を行う（Ｓ１２）。なお、浴槽２の状態が変化した旨を通知するタイミングは、ユーザが任意に設定できるものとする。例えば、浴槽２の水温について閾値を４１度に設定した場合、浴槽２の水温が４１度を超えたとき、センサ部３１が上記Ｓ１２の処理を行う。また、閾値は、ユーザにより任意の値に設定することができ、さらに、センサ部３１により検出することができる値、例えば、水深に対して閾値を設定するものであってもよい。
【００２６】
上記Ｓ１２においてセンサ部３１から通知を受信した画像コンテンツ生成部３３は、浴槽２の状態に基づいた画像コンテンツを生成し、生成した画像コンテンツをＨＤＤ３２に記録した後（Ｓ１３）、センサ制御部３６（ＣＤＳ）に対して画像コンテンツを生成してＨＤＤ３２に記録した旨を通知する（Ｓ１４）。画像コンテンツ生成部３３から通知を受信したセンサ制御部３６は、テレビ５に対してＨＤＤ３２に記録された画像コンテンツに変化があった旨を通知する（Ｓ１５）。
【００２７】
上記Ｓ１５において、浴槽監視装置３から通知を受信したテレビ５は、前出の図６に示したＳ３及びＳ４と同様の処理を行い、浴槽監視装置３のセンサ部３１のリストを取得した後（Ｓ１６、Ｓ１７）、前出の図６に示したＳ５及びＳ６の処理と同様の処理を行い、浴槽２の水温の状態に基づく画像コンテンツを取得する（Ｓ１８、Ｓ１９）。このとき、例えば、ユーザが浴槽監視装置３に対して、浴槽２の水温が４１度になったときにテレビ５に対してイベントの通知を行うように閾値を設定している場合、図１１に示すように、浴槽２の水温が４１℃である旨を示す画像コンテンツ８をテレビ５は取得する。そのため、テレビ５が取得した画像コンテンツ８をディスプレイ５１に表示することにより、ユーザは、テレビ５を用いて浴槽２の水温が所望した温度であることを知ることができる。
【００２８】
上記実施形態によれば、浴槽監視装置３が、浴槽２の状態に変化があったことを、汎用のＵＰｎＰ規格に対応したテレビ５に通知することができる。そのため、ユーザは、独自プロトコルに対応した専用機器や専用ソフトウェア等の導入コストをかけることなしに、汎用のＵＰｎＰ規格に対応したテレビ５を用いて浴槽２の状態の変化を知ることができる。これにより、浴槽監視装置３を含む浴槽監視システム１全体の生産コストを低減させることができる。
【００２９】
また、浴槽監視装置３が、浴槽２の状態に基づく画像コンテンツを、汎用のＵＰｎＰ規格に対応したテレビ５に送信し、テレビ５が取得した画像コンテンツをディスプレイ５１に表示することができる。そのため、ユーザは、独自プロトコルに対応した専用機器や専用ソフトウェア等の導入コストをかけることなしに、汎用のＵＰｎＰ規格に対応したテレビ５を用いて浴槽の状態を知ることができる。
【００３０】
なお、上記実施形態では、浴槽２の状態に基づく画像コンテンツをテレビ５が取得する場合の例を示したが、これに限られず、ＵＰｎＰ規格に対応したパソコンが画像コンテンツを取得するものであってもよい。
【図面の簡単な説明】
【００３１】
【図１】本発明の一実施形態に係る浴槽監視装置と、テレビとを含む浴槽監視システムの概略図。
【図２】上記浴槽と浴槽監視装置の外観を示す傾斜図。
【図３】上記テレビの外観を示す傾斜図。
【図４】上記浴槽監視装置の内部構成を示すブロック図。
【図５】上記テレビの内部構成を示すブロック図。
【図６】上記テレビが浴槽監視装置に対して浴槽の状態に基づく画像コンテンツの要求を行う時の処理の手順を示すフロチャート。
【図７】上記浴槽の水温の状態に基づく画像コンテンツの例を示す図。
【図８】上記浴槽の水深の状態に基づく画像コンテンツの例を示す図。
【図９】上記浴槽監視装置が浴槽の状態の変化を検出した時の浴槽監視装置の処理の手順を示すフロチャート。
【図１０】上記浴槽監視装置が浴槽の状態の変化を検出した時の浴槽監視装置とテレビの処理の手順を示すフロチャート。
【図１１】上記浴槽の水温の状態に基づく画像コンテンツの変形例を示す図。
【符号の説明】
【００３２】
１  浴槽監視システム
２  浴槽
３  浴槽監視装置
４  ネットワーク
５  テレビ（テレビジョン受像機）
６  画像コンテンツ
７  画像コンテンツ
８  画像コンテンツ
３１  センサ部
３２  ＨＤＤ（記録部）
３３  画像コンテンツ生成部（画像コンテンツ生成手段）
３６  センサ制御部（監視制御手段）
５１  ディスプレイ（映像表示手段）
５５  制御用マイコン（制御手段）
【図１】
2007309576.tif 000003
【図２】
2007309576.tif 000004
【図３】
2007309576.tif 000005
【図４】
2007309576.tif 000006
【図５】
2007309576.tif 000007
【図６】
2007309576.tif 000008
【図７】
2007309576.tif 000009
【図８】
2007309576.tif 000010
【図９】
2007309576.tif 000011
【図１０】
2007309576.tif 000012
【図１１】
2007309576.tif 000013